(57)【特許請求の範囲】
【請求項１】
洗濯水を溜めることが可能な水槽と、
前記水槽内に回転可能に設けられた洗濯槽と、
給水径路を通して前記洗濯槽内に給水する給水装置と、
前記給水径路に設けられウルトラファインバブルを発生させるファインバブル発生装置と、
前記洗濯水に対して超音波を照射可能な超音波発生装置とを備え、
前記洗濯槽の底部には、ポンプ羽根を有するパルセータが設けられてポンプ室が構成されると共に、該ポンプ室の洗濯水を前記洗濯槽上部まで揚水して吐出する通水路が設けられ、
前記超音波発生装置は、前記水槽の底部であって、前記ポンプ室の下方に設けられており、
少なくとも洗い行程において、前記ファインバブル発生装置により発生したウルトラファインバブルを含む洗濯水に、前記超音波発生装置により超音波を照射する洗濯機。
【請求項２】
洗濯水を溜めることが可能な水槽と、
前記水槽内に回転可能に設けられた洗濯槽と、
給水径路を通して前記洗濯槽内に給水する給水装置と、
前記給水径路に設けられウルトラファインバブルを発生させるファインバブル発生装置と、
前記洗濯水に対して超音波を照射可能な超音波発生装置と、
前記水槽内底部の洗濯水を吸込んで該水槽の上部から供給する循環水路と、
前記循環水路内を循環させるための循環ポンプとを備え、
前記超音波発生装置は、前記循環水路に設けられており、
少なくとも洗い行程において、前記ファインバブル発生装置により発生したウルトラファインバブルを含む洗濯水に、前記超音波発生装置により超音波を照射する洗濯機。
【請求項３】
前記超音波発生装置は、前記循環水路のうち、前記循環ポンプの出口側に設けられている請求項２記載の洗濯機。
【発明の詳細な説明】
【技術分野】
【０００１】
本発明の実施形態は、洗濯機に関する。
【背景技術】
【０００２】
近年、水中に形成される例えば直径が数十ｎｍ〜数百ｎｍのファインバブル（ウルトラファインバブル（ナノバブル）又はマイクロバブル）が注目されてきており、多数のファインバブルを含んだファインバブル水を洗浄用途に用いることが考えられている。例えば特許文献１には、ディスプレイ基板を洗浄する際に、純水等の液体にファインバブルを含ませたファインバブル水を使用する技術が開示されている。
【先行技術文献】
【特許文献】
【０００３】
【特許文献１】特開２０１０−７３８４８号公報
【発明の概要】
【発明が解決しようとする課題】
【０００４】
衣類を洗濯する洗濯機にも、ファインバブル水を用いることが考えられるが、洗濯機に適用するにあたって、優れた洗浄性を得ることが要望される。
そこで、ファインバブル水を用いることができるものにあって、優れた洗浄性を得ることができる洗濯機を提供する。
【課題を解決するための手段】
【０００５】
実施形態の洗濯機は、洗濯水を溜めることが可能な水槽と、前記水槽内に回転可能に設けられた洗濯槽と、給水径路を通して前記洗濯槽内に給水する給水装置と、前記給水径路に設けられウルトラファインバブルを発生させるファインバブル発生装置と、前記洗濯水に対して超音波を照射可能な超音波発生装置とを備え、前記洗濯槽の底部には、ポンプ羽根を有するパルセータが設けられてポンプ室が構成されると共に、該ポンプ室の洗濯水を前記洗濯槽上部まで揚水して吐出する通水路が設けられ、前記超音波発生装置は、前記水槽の底部であって、前記ポンプ室の下方に設けられており、少なくとも洗い行程において、前記ファインバブル発生装置により発生したウルトラファインバブルを含む洗濯水に、前記超音波発生装置により超音波を照射する。
【０００６】
尚、実施形態におけるファインバブル発生装置は、直径が５０ｎｍ〜１μｍ程度のウルトラファインバブルを含んだ微細な気泡を発生させる。
【図面の簡単な説明】
【０００７】
【図１】第１の実施形態を示すもので、洗濯機の構成を概略的に示す縦断正面図
【図２】第２給水弁部分の構成を概略的に示す縦断面図
【図３】第２の実施形態を示すもので、洗濯機の構成を概略的に示す縦断正面図
【図４】第３の実施形態を示すもので、洗濯機の構成を概略的に示す縦断正面図
【図５】第４の実施形態を示すもので、洗濯機の構成を概略的に示す縦断正面図
【図６】第５の実施形態を示すもので、洗濯機の構成を概略的に示す縦断正面図
【図７】第６の実施形態を示すもので、第２給水弁部分の構成を概略的に示す縦断面図
【発明を実施するための形態】
【０００８】
（１）第１の実施形態
以下、いわゆる縦軸型の洗濯機に適用した第１の実施形態について、図１及び図２を参照しながら説明する。図１は、本実施形態に係る洗濯機１の全体構成を概略的に示しており、この洗濯機１は、例えば鋼板から全体として矩形箱状に構成された外箱２の上部に、合成樹脂製のトップカバー３を備えている。前記外箱２内には、洗濯水を溜めることが可能な水槽４が、周知構成の弾性吊持機構（図示せず）により弾性的に吊り下げ支持されて設けられている。尚、図示はしないが、水槽４の底部には、排水口が形成され、この排水口に、排水弁を備えた排水路が接続されている。
【０００９】
前記水槽４内には、脱水槽を兼用する縦軸型の洗濯槽５が回転可能に設けられている。この洗濯槽５は、有底円筒状をなし、その周壁部には、図示しない多数個の脱水孔が形成されている。この洗濯槽５の上端部には、例えば液体封入形の回転バランサ６が取付けられている。また、洗濯槽５の内底部には、パルセータ７が配設されている。洗濯槽５内には、図示しない衣類が収容されるようになっており、衣類の洗い、すすぎ、脱水等の行程からなる洗濯運転が行われる。
【００１０】
本実施形態では、洗濯槽５の内底部には、前記パルセータ７が配置される円形の凹状領域が設けられ、前記パルセータ７との間にポンプ室８が形成されるようになっている。このとき、前記パルセータ７は、表面（上面）に回転水流生成用の凸部７ａを有する円盤状をなし、また、その盤面を上下に貫通するように複数個の通水孔（図示せず）が形成されている。また、このパルセータ７の裏面には、複数枚のポンプ羽根９が一体に設けられている。このポンプ羽根９は、中心部から放射方向（半径方向）に延びる薄板状をなしている。前記ポンプ室８の外周部の、角度が１２０度間隔離れた３箇所に、流出口８ａ（２個のみ図示）が設けられている。
【００１１】
そして、前記洗濯槽５の側壁部には、各流出口８ａから上方に延びるようにして、洗濯水を前記ポンプ室８から揚水するための３個（２個のみ図示）の通水路１０が設けられている。これら通水路１０は、洗濯槽５内の上部の回転バランサ６の下方に吐出口１０ａを有している。これにて、ポンプ室８におけるパルセータ７つまりポンプ羽根９の回転により、洗濯槽５内の洗濯水（後述する、洗剤が溶けたファインバブル水、或いはすすぎ用の水）が、ポンプ室８の３つの流出口８ａから外周方向に向けて吐出される。さらに、その洗濯水が通水路１０内を上昇（揚水）し、吐出口１０ａから洗濯槽５内に吐出（散水）される。
【００１２】
また、前記水槽４の外底部には、周知構成の駆動機構１１が配設されている。詳しい図示及び説明は省略するが、この駆動機構１１は、例えばアウタロータ形のＤＣ三相ブラシレスモータからなる洗濯機モータを備えると共に、その洗濯機モータの駆動力を前記パルセータ７又は洗濯槽５に選択的に伝達するクラッチ機構等を備えている。洗濯機モータ及びクラッチ機構は、図示しない制御装置により制御され、洗い時及びためすすぎ時には洗濯槽５の固定（停止）状態で、洗濯機モータの駆動力をパルセータ７に伝達してパルセータ７を低速で直接正逆回転駆動する。また、脱水すすぎ時や脱水時等には、クラッチ機構は、洗濯機モータの駆動力を洗濯槽５に伝達し、洗濯槽５（及びパルセータ７）を一方向に高速で回転駆動するようになっている。
【００１３】
前記トップカバー３には、前記水槽４（洗濯槽５）内に給水を行う給水装置１２が設けられる。本実施形態では、この給水装置１２は、給水径路１３や、後述する３個の給水弁等を備えている。前記給水径路１３は、水道等の給水源に接続されるホース接続口１４、このホース接続口１４から３本に分岐して延びる第１径路１５、第２径路１６、第３経路１７、注水ケース１８、注水ケース１８の出口部である注水口１９から構成される。注水ケース１８内には、洗剤が収容される洗剤収容部１８ａと、柔軟剤等が収容される柔軟剤収容部１８ｂとが設けられている。この注水ケース１８の洗剤収容部１８ａが、洗剤投入部として機能する。
【００１４】
前記第１径路１５及び第２径路１６は、そのうち洗剤収容部１８ａに接続され、第３経路１７は、柔軟剤収容部１８ｂに接続されている。そして、前記第１径路１５には、メイン用の第１給水弁２０が設けられ、第２径路１６にはファインバブル用の第２給水弁２１が設けられ、第３径路１７には、柔軟剤用の第３給水弁２２が設けられている。これら給水弁２０、２１、２２は、後述する図２にも示すように、電磁的に開閉動作する開閉弁からなり、前記制御装置により制御される。
【００１５】
これにて、メイン用の第１給水弁２０が開放されると、給水源からの水が第１径路１５を通って注水ケース１８の洗剤収容部１８ａに流れ、洗剤が収容されている場合にはその洗剤を溶かしながら注水口１９から排出され、水槽４内に注水される。また、ファインバブル用の第２給水弁２１が開放されると、給水源からの水が第２径路１６を通って注水ケース１８の洗剤収容部１８ａに流れ、洗剤が収容されている場合にはその洗剤を溶かしながら注水口１９から排出され、水槽４内に注水される。
【００１６】
更に、柔軟剤用の第３給水弁２２が開放されると、給水源からの水が第３径路１７を通って注水ケース１８の柔軟剤収容部１８ｂに流れ、柔軟剤が収容されている場合にはその柔軟剤を溶かしながら注水口１９から排出され、水槽４内に注水される。尚、図示はしないが、このトップカバー３には、衣類の出入口、その出入口を開閉する蓋、操作パネル等も設けられている。
【００１７】
さて、本実施形態では、前記給水径路１３のうち第２径路１６部分、この場合、前記第２給水弁２１の下流側である出口部に組込まれるようにして、後述するファインバブル発生装置としてのバブル発生ユニット２３が設けられている。
【００１８】
これと共に、本実施形態では、水槽４内の洗濯水に超音波を照射して超音波振動させるための超音波発生装置２４が設けられている。この超音波発生装置２４は、圧電素子により超音波振動する超音波振動子及び前記圧電素子に高周波電圧を印加する給電回路を備えた周知構成を備え、水槽４の底部であり、前記ポンプ室８の下方に位置して設けられている。この超音波発生装置２４は、前記制御装置により制御され、例えば１５ＭＨｚの超音波を出力する。
【００１９】
ここで、前記バブル発生ユニット２３について述べる。図２は、上記第２の給水弁２１部分を示している。この第２給水弁２１は、ボディ２１ａの図で右側に位置する入口部２５と、図で下側に位置する出口部２６とをつなぐ中空状の弁室２１ｂを有すると共に、その弁室２１ｂ内で前記出口部２６側の弁座２６ａに対して接離することにより出口部２６を開閉するダイヤフラム弁２７、そのダイヤフラム弁２７を駆動するソレノイドからなる弁駆動機構２８を備えて構成されている。尚、前記第１の給水弁２０や第３の給水弁２２も、以上述べた基本的構成に関して、第２の給水弁２１と同等の構成を備えている。
【００２０】
本実施形態では、第２の給水弁２１の出口部２６部分に位置して、ベンチュリ管の原理を利用したバブル発生ユニット２３が、ボディ２１ａに組込まれた形態で設けられている。このバブル発生ユニット２３は、例えば合成樹脂から軸方向を図で上下方向とした円柱状をなし、図で上下方向に延びる流路２９が形成されている。流路２９は、バブル発生ユニット２３の上下両端端面で開口し、図で上端側の開口部が流入口２９ａとされ、図で下端側の開口部が流出口２９ｂとされている。
【００２１】
そして、前記流路２９の中間部に、流路断面積が最も小さくなる絞り部２９ｃが形成されている。流路２９は、流入口２９ａから絞り部２９ｃまでの間が、次第に流路断面積が小さくなっていくテーパ状に構成され、絞り部２９ｃから流出口２９ｂまでの間が、次第に流路断面積が大きくなっていくテーパ状に構成されている。更に、バブル発生ユニット２３には、絞り部２９ｃの流路を更に狭めるようにして、４個の突出部３０（２個のみ図示）が設けられている。これら突出部３０は、９０度間隔で絞り部２９ｃの外周側から内側に凸となるように設けられ、これによって、絞り部２９ｃの断面が十文字（×字）のスリット状となっている。
【００２２】
このようなバブル発生ユニット２３においては、第２の給水弁２１の開放によって水が流入口２９ａから流路２９内に流入すると、絞り部２９ｃまで流路断面積が絞られることによって、流体力学のいわゆるベンチュリ効果により、流速が高められて、圧力が急激に低下される。これにより、水中に溶存している空気を微細な気泡として多量に析出させることができる。
【００２３】
本実施形態のバブル発生ユニット２３により、直径が５０ｎｍ〜１μｍ程度のウルトラファインバブル、及び、直径が１μｍ〜数百μｍ程度のマイクロバブルを含んだファインバブルを多量に発生させることができる。このようにバブル発生ユニット２３を通ることによって、多量のファインバブルを含んだ水（以下、ファインバブル水と称する）が、流出口２９ｂから流出され、第２径路１６を通って注水ケース１８（洗剤収容部１８ａ）に流入し、洗剤が投入されて注水口１９から水槽４内に注水される。尚、このバブル発生ユニット２３に関しては、本出願人の先の出願に係る、特願２０１４−１２９０９７号に詳しい。
【００２４】
このとき、次の作用説明で述べるように、制御装置は、主としてそのソフトウエア構成により、洗い行程開始時の給水時において、第２給水弁２１を開放させて（第１給水弁２０及び第３給水弁２は閉塞）、バブル発生ユニット２３を通してファインバブル水を供給する。これにて、ファインバブル水に洗剤が溶け込んだ洗濯水が、水槽４（洗濯槽５）内に溜められて洗い行程が実行される。そして、制御装置は、洗い行程においては、前記超音波発生装置２４を駆動させ、洗濯水に超音波を照射させるようになっている。尚、洗い行程後のすすぎ行程等においては、第１給水弁２０を用いて給水が行われ、最終のためすすぎ行程においては、第３給水弁２２を開放させて、柔軟剤が溶け込んだ水が水槽４内に供給されるようになっている。
【００２５】
次に、上記構成の洗濯機１の作用について述べる。洗濯運転を開始するにあたっては、ユーザは、洗濯槽５内に洗濯する衣類を収容すると共に、注水ケース１８の洗剤収容部１８ａに所要量の洗剤を収容させておいた上で、操作パネルにて開始操作を行う。すると、制御装置は、洗い、すすぎ、脱水などの行程からなる洗濯運転を自動で実行するのであるが、上記したように、まず洗い行程開始時の給水時においては、第２給水弁２１を開放し、水道などの給水源からの水を、第２径路１６を通して注水ケース１８の洗剤収容部１８ａに供給する。
【００２６】
この第２給水弁２１の開放によって、水はバブル発生ユニット２３を通り、その際に多量のファインバブルが発生してファインバブル水となって注水ケース１８に供給される。そして、ファインバブル水が、洗剤収容部１８ａの洗剤を溶かしながら流れ、注水口１９から水槽４内に注水される。水槽４内の所定水位の給水が行われると、第２給水弁２１が閉塞され、洗い行程が開始される。この洗い行程では、パルセータ７が正逆回転駆動されると共に、超音波発生装置２４が動作される。超音波発生装置２４の動作により、水槽４内の洗濯水、特にポンプ室８内の洗濯水に超音波が照射される。
【００２７】
前記パルセータ７の正逆回転により、洗濯槽５内に回転水流が生成されて洗濯水中で衣類が回転すると共に、衣類が凸部７ａに対する接触による摩擦力を受けるようになる。さらに、パルセータ７のポンプ羽根９の作用により、ポンプ室８内の洗濯水が通水路１０を上昇（揚水）され、吐出口１０ａから洗濯槽５内に吐出されて衣類に上方から注がれる。所定時間の洗い行程が終了すると、パルセータ７及び超音波発生装置２４が停止され、水槽４からの排水が行われた後、すすぎや脱水の行程が実行される。これらすすぎや脱水の行程では、第２給水弁２１は使用されず、また超音波発生装置２４は動作されない。
【００２８】
ここで、上記ファインバブルは、液体中例えば水中で、不規則な運動を生ずるブラウン運動を起こし、その速度は浮上速度よりも速いため、長時間に渡って液体中に止まる性質を有する。そして、ファインバブルの表面はマイナスに帯電しているため、洗濯水に含まれている塊りとなっていた洗剤分（界面活性剤）をばらすようにしながら吸着し、洗剤の分散性を向上させる役割を果たす。ファインバブル同士は反発し合い、結合することがない。また、そのように洗剤分を吸着したファインバブルは、衣類の繊維の隙間（例えば１０μｍ）中に容易に入り込み、効率よく洗剤を衣類の内部に運んで汚れをはがすことができ、その汚れの衣類への再付着を抑制する。
【００２９】
この場合、バブル発生ユニット２３によりファインバブル水とされた後に、そのファインバブル水に洗剤が投入されるように構成されているので、ファインバブル濃度が高い状態の洗濯水中に、洗剤を効果的に分散させることができる。尚、それとは逆に、洗剤を水に投入した後にファインバブルを発生させる場合には、洗濯水が過剰に泡立ってしまって微細なファインバブルを十分に発生させることができなくなり、ファインバブル濃度が低下してしまう虞がある。
【００３０】
上記のようなファインバブルの機能により、無数のファインバブルが含まれたファインバブル水に洗剤を溶かした洗濯水を用いて洗い行程を行うことにより、優れた洗浄作用を得ることができる。そして、それに加えて、洗い行程では、超音波発生装置２４により、洗濯水に例えば１５ＭＨｚの超音波が照射されることにより、洗濯水中のファインバブルがはじけるようになり、その破裂の際に発生するエネルギー（衝撃波）によって衣類から汚れを引きはがしたり、更に洗剤分を細かく分散させて汚れに作用させたりする作用を呈する。
【００３１】
これと共に、超音波によるキャビテーションによって、洗濯水中に新たな微細なファインバブルを発生させることができ、洗濯水に含まれるファインバブルの量を確保し、ファインバブルの減少に伴う洗浄性の低下を抑制することができる。このとき、ポンプ室８において超音波を照射した状態の洗濯水が、通水路１０を通して水槽４上部において吐出されるようになる。洗濯槽５の上部に存在する衣類にも、超音波を照射したファインバブル水をかけることができ、より効果的となる。
【００３２】
以上のように、本実施形態によれば、ファインバブル水を用いて洗い行程を実行できるものにあって、単純にファインバブル水を用いたものに比べて、衣類の繊維からの汚れの除去能力をより一層高めることができ、優れた洗浄性を得ることができるという効果を奏する。
【００３３】
特に本実施形態では、超音波発生装置２４を水槽４の底部に設けるようにしたので、水槽４内の洗濯水の水位が低水位の場合でも、超音波を確実に照射することが可能となり、パルセータ７の機械力との相乗効果により、洗浄性を高めることができる。また、ファインバブルを発生させるための装置として、コンパクトなバブル発生ユニット２３を採用すると共に、バブル発生ユニット２３を、給水装置１２内の第２給水弁２１の下流側に設けるようにしたので、ファインバブルを発生させるための装置を自由度高くコンパクトに配置することができるといった利点も得ることができる。
【００３４】
（２）第２、第３の実施形態
図３は、第２の実施形態に係る洗濯機４１の構成を概略的に示している。尚、以下に述べる各実施形態においては、上記第１の実施形態と同一部分には、同一符号を付して新たな説明を省略することとし、上記第１の実施形態と異なる点について説明する。この第２の実施形態の洗濯機４１が上記第１の実施形態と異なるところは、トップカバー３に設けられる給水装置４２の構成、並びに洗剤投入部４３の構成にある。
【００３５】
即ち、前記給水装置４２は、やはり、水道等の給水源に接続されるホース接続口１４、このホース接続口１４から３本に分岐して延びる第１径路１５、第２径路１６、第３経路１７を有する給水径路１３を備える。第１径路１５には、メイン用の第１給水弁２０が設けられ、第２径路１６には、ファインバブル用の第２給水弁２１が設けられ、第３径路１７には、柔軟剤用の第３給水弁２２が設けられている。第１径路１５は、注水口１９に直接接続されており、第３径路１７は、柔軟剤収容ケース４４を介して注水口１９に接続されている。
【００３６】
これに対し、第２径路１６の出口部は、水槽４と洗濯槽５との隙間の上方に配置されている。これと共に、第２径路１６の途中部（第２給水弁２１よりも下流側）に、ファインバブル発生装置としてのバブル発生ユニット２３が設けられている。そして本実施形態では、洗濯槽５の内壁部に、上下方向に延び上下両端部が開口した管状の洗剤供給部４３が設けられており、その上端の口部が洗剤投入口４３ａとされている。尚、水槽４の底部には、超音波発生装置２４が設けられている。
【００３７】
この第２の実施形態においては、洗濯運転を行う際には、ユーザは、洗剤投入口４３ａから所要量の洗剤を投入しておく。すると、洗剤は、洗剤供給部４３を通って、洗濯槽５の底部に衣類と接しない状態で収容される。洗い行程時の給水が開始されると、第２給水弁２１が開放され、第２径路１６を通る水が、バブル発生ユニット２３を通り、その際に多量のファインバブルが発生してファインバブル水となる。そのファインバブル水が、第２径路１６の出口から水槽４内に注水され、水槽４底部の洗剤が溶けて洗濯水となる。また、洗い行程が開始されると、超音波発生装置２４により、水槽４内の洗濯水に超音波が照射される。
【００３８】
このような第２の実施形態においても、洗い行程において、バブル発生ユニット２３により発生したファインバブルを含む洗濯水に、超音波発生装置２４により超音波を照射する構成としたので、ファインバブル水を用いることができるものにあって、衣類の繊維からの汚れの除去能力をより一層高めることができ、優れた洗浄性を得ることができる等の、上記第１の実施形態と同様の優れた効果を奏する。
【００３９】
図４は、第３の実施形態を示すものである。この第３の実施形態に係る洗濯機５１が上記第１の実施形態と異なる点は、超音波発生装置２４を、水槽４の底部のうち、ポンプ室８の下方ではなく、水槽４の側壁部に設けた構成にある。このような構成であっても、洗い行程において、バブル発生ユニット２３により発生したファインバブルを含む洗濯水に、超音波発生装置２４により超音波を照射することにより、ファインバブル水を用いることができるものにあって、衣類の繊維からの汚れの除去能力をより一層高めることができ、優れた洗浄性を得ることができるという優れた効果を奏する。
【００４０】
（３）第４〜第６の実施形態、その他の実施形態
図５は、第４の実施形態に係る洗濯機６１の構成を示している。この第４の実施形態の洗濯機６１が、上記第１の実施形態と異なるところは、水槽４の外側に、水槽４の底部の洗濯水を吸込んで、水槽４の上部から洗濯槽５内に供給（注水）する管状の循環水路６２を設けた点にある。尚、循環水路６２を設けたことに伴い、ポンプ羽根９のない形態のパルセータ６５が採用され、ポンプ室８や通水路１０を省略したものとされている。
【００４１】
前記循環水路６２は、吸込み側端部が、水槽４の外底部に接続され、側方に延びた後、水槽４の外側を上方へ延び、吐出側の上端部が洗濯槽５の上方に配置されている。この循環水路６２の途中部には、洗濯水を循環させるための循環ポンプ６３が設けられ、この循環ポンプ６３の上流側に位置して、超音波発生装置６４が設けられている。
【００４２】
この構成においては、ファインバブル水に洗剤が溶け込んだ洗濯水が水槽内に供給され、洗い行程が開始されると、循環ポンプ６３が駆動されることにより、水槽４内の洗濯水が、水槽４底部から循環水路６２に吸込まれ、循環水路６２を水槽４の上部まで運ばれ、洗濯槽５に対し上方から注水するといった循環が行われる。その際に、洗濯水が超音波発生装置６４を通ることで、洗濯水に超音波が照射される。
【００４３】
このような第４の実施形態によれば、洗い行程において、バブル発生ユニット２３により発生したファインバブルを含む洗濯水に、超音波発生装置６４により超音波を照射する構成としたので、ファインバブル水を用いることができるものにあって、衣類の繊維からの汚れの除去能力をより一層高めることができ、優れた洗浄性を得ることができる等の、上記第１の実施形態と同様の優れた効果を奏する。特に本実施形態では、循環水路６２を通る際の洗濯水に超音波を照射することにより、水槽４（洗濯槽５）上部に存在する衣類にも、超音波を照射したファインバブル水をかけることができ、より効果的となる。
【００４４】
図６は、第５の実施形態に係る洗濯機７１の構成を示しており、上記第４の実施形態の洗濯機６１と異なる点は、循環水路６２を設けたものにあって、超音波発生装置７２を、循環水路６２のうち、循環ポンプ６３の出口側（下流側）に設けた構成にある。これによれば、上記第４の実施形態と同等の効果を得ることができる。そして、超音波を照射したファインバブル水が循環ポンプ６３を通る構成の場合には、循環ポンプ６３に悪影響を与える虞が考えられるが、そのような不具合を未然に防止しながら、超音波を照射したファインバブル水を、循環水路６２を通して水槽４（洗濯槽５）の上部から供給することができる。
【００４５】
図７は、第６の実施形態を示すもので、この第６の実施形態が上記第１の実施形態と異なる点は、第２給水弁８１部分の構成にある。即ち、本実施形態では、ファインバブル発生装置としてのバブル発生ユニット８２が、第２給水弁８１のボディ８１ａの入口部８３部分に組込まれている。第２給水弁８１は、第１の実施形態の第２給水弁２１と同様に、ボディ２１ａの図で右側に位置する入口部８３と、図で下側に位置する出口部２６とをつなぐ中空状の弁室２１ｂを有すると共に、その弁室２１ｂ内で出口部２６側の弁座２６ａに対して接離することにより出口部２６を開閉するダイヤフラム弁２７、そのダイヤフラム弁２７を駆動するソレノイド等の弁駆動機構２８を備えて構成されている。
【００４６】
そして、バブル発生ユニット８２は、上記第１の実施形態のバブル発生ユニット２３と同様にベンチュリ管の原理を利用したもので、やはり、図で右端側の流入口８４ａから左端の流出口８４ｂまで延びる流路８４が形成され、流路８４の中間部に、流路断面積が最も小さくなる絞り部８４ｃが形成されている。流路８４は、流入口８４ａから絞り部８４ｃまでの間が、次第に流路断面積が小さくなっていくテーパ状に構成され、絞り部８４ｃから流出口８４ｂまでの間が、次第に流路断面積が大きくなっていくテーパ状に構成されている。絞り部８４ｃの流路を更に狭めるようにして、４個の突出部８５（２個のみ図示）が設けられている。尚、バブル発生ユニット８２の流入口８４ａの外側には、流入口８４ａの流路調整用の弁体８６が設けられている。
【００４７】
かかる構成においても、洗い行程開始時の給水時において、第２給水弁８１が開放されることにより、水が流路８４内を流れることによって水中に溶存している空気を微細な気泡として多量に析出させることができ、バブル発生ユニット８２を通してファインバブル水を水槽４（洗濯槽５）内に供給することができる。この場合も、バブル発生ユニット８２をコンパクトに配置することが可能となる。
【００４８】
尚、上記した各実施形態に限定されるものではなく、図示は省略するが、例えば次のような拡張、変更も可能である。即ち、複数の給水径路に夫々給水弁を設ける構成としたが、第１径路と第２径路との切替えを１個の切替弁によって行う構成としても良い。ファインバブル発生装置の構成や、設ける位置としても、様々な変更が可能である。洗い行程に加えてすすぎ行程においてもファインバブル水を用いるようにしても良い。
【００４９】
その他、縦軸型の洗濯機に限らず、ドラム式の洗濯機や二槽式洗濯機など洗濯機全般に適用することができ、また、縦軸型であっても水槽には貯水せず、その内側の洗濯槽にのみ貯水するタイプの洗濯機にも適用可能であり、更には、超音波発生装置の構成や設ける位置、更には洗剤投入部の構成や給水装置の全体構成等についても、様々な変更が可能である等、要旨を逸脱しない範囲内で適宜変更して実施し得るものである。
【符号の説明】
【００５０】
図面中、１、４１、５１、６１、７１は洗濯機、４は水槽、５は洗濯槽、７、６５はパルセータ、８はポンプ室、９はポンプ羽根、１０は通水路、１２、４２は給水装置、１３は給水径路、１８ａは洗剤収容部（洗剤投入部）、２１、８１は第２給水弁、２３、８２はバブル発生ユニット（ファインバブル発生装置）、２４、６４、７２は超音波発生装置、４３は洗剤投入部、６２は循環水路、６３は循環ポンプを示す。
【図１】
0006706135.tif 000002
【図２】
0006706135.tif 000003
【図３】
0006706135.tif 000004
【図４】
0006706135.tif 000005
【図５】
0006706135.tif 000006
【図６】
0006706135.tif 000007
【図７】
0006706135.tif 000008